(57)【要約】【課題】コンテンツ内容と表示形態とが連動する情報処理装置を提供する。【解決手段】情報処理装置は、コンテンツを表示する表示部と、他の装置と固定される接続部と、前記他の装置と通信する接続用インターフェースと、本体が前記接続部を介して前記他の装置の表示部を覆うように固定されており、利用者側に前記表示部が対面していると判断した場合、前記接続用インターフェースを介して前記他の装置を制御し、前記表示部に所定のコンテンツを表示させる制御部とを有する。【選択図】図５
2009180846.tif 000002
【特許請求の範囲】
【請求項１】
コンテンツを表示する表示部と、
他の装置と固定される接続部と、
前記他の装置と通信する接続用インターフェースと、
本体が前記接続部を介して前記他の装置の表示部を覆うように固定されており、利用者側に前記表示部が対面していると判断した場合、前記接続用インターフェースを介して前記他の装置を制御し、前記表示部に所定のコンテンツを表示させる制御部とを有することを特徴とする情報処理装置。
【請求項２】
前記制御部は、前記所定のコンテンツとして操作画面を有するコンテンツを前記表示部に表示させることを特徴とする請求項１に記載の情報処理装置。
【請求項３】
前記制御部は、前記コンテンツが縮小されて前記表示部に表示されている場合、前記他の装置の表示部及び前記表示部から複数の表示部を用いて縮小された前記コンテンツを拡大して表示することを特徴とする請求項１に記載の情報処理装置。
【請求項４】
前記制御部は、前記コンテンツが複数の表示部を必要とする場合、前記表示部又は前記他の装置の表示部から複数の表示部を用いて前記コンテンツを表示することを特徴とする請求項１に記載の情報処理装置。
【請求項５】
コンテンツを表示する表示部と、
他の装置と固定する接続部と、
前記他の装置と通信する接続用インターフェースと、
前記表示部の表示状態を教示する教示部と、
本体が前記接続部を介して前記他の装置の表示部を覆うように固定されており、利用者側に前記表示部が対面していると判断した場合、前記接続用インターフェースを介して前記他の装置を制御し、前記表示部に所定のコンテンツを表示させる制御部を有することを特徴とする情報処理装置。
【請求項６】
前記制御部は、前記所定のコンテンツとして操作画面を有するコンテンツを前記表示部に表示させることを特徴とする請求項５に記載の情報処理装置。
【請求項７】
前記制御部は、前記コンテンツが縮小されて前記表示部に表示されている場合、前記表示部又は前記他の装置の表示部から複数の表示部を選択して縮小された前記コンテンツを拡大して表示することを特徴とする請求項５に記載の情報処理装置。
【請求項８】
前記制御部は、前記コンテンツが複数の表示部を必要とする場合、前記表示部又は前記他の装置の表示部から複数の表示部を用いて前記コンテンツを表示することを特徴とする請求項５に記載の情報処理装置。
【請求項９】
前記制御部は、前記コンテンツを表示する表示部を有する装置の教示部を動作させることを特徴とする請求項７又は８に記載の情報処理装置。
【発明の詳細な説明】
【技術分野】
【０００１】
本発明は、情報処理装置に関する。
【背景技術】
【０００２】
従来の技術として、複数の表示ユニットを着脱自在に接合できる情報処理装置がある（例えば、特許文献１参照）。
【０００３】
この情報処理装置は、コンテンツを表示処理する本体部と、ヒンジを介して本体部に回動可能に取り付けられた蓋部を有し、蓋部には複数の表示ユニットが収容されている。表示ユニットは、蓋部に収容されている状態で複数の表示ユニットのうちの１つが本体部のコネクタと接続されて、本体部の制御のもとでコンテンツの表示を行う。また、複数の表示ユニットは、蓋部から取り出されてそれぞれ接続されることで、１枚の大きな表示装置として蓋部に取り付けられて構成され、本体部のコネクタと接続されて、本体部の制御のもとで表示領域の大きなコンテンツを表示することができる。また、表示装置の複数の表示パネルに対してそれぞれ異なるコンテンツを表示することもできる。
【特許文献１】特開平１０−６３１９５号公報
【発明の開示】
【発明が解決しようとする課題】
【０００４】
しかし、従来の情報処理装置によると、本体部は、表示形態（表示パネル又は表示装置の表示サイズ）に合わせてコンテンツ内容（例えば、コンテンツサイズ）を変化させて表示しており、コンテンツ内容に合わせて表示形態を変化させることはできない。
【０００５】
従って、本発明の目的は、コンテンツ内容と表示形態とが連動する情報処理装置を提供することにある。
【課題を解決するための手段】
【０００６】
（１）本発明は上記目的を達成するため、コンテンツを表示する表示部と、他の装置と固定される接続部と、前記他の装置と通信する接続用インターフェースと、本体が前記接続部を介して前記他の装置の表示部を覆うように固定されており、利用者側に前記表示部が対面していると判断した場合、前記接続用インターフェースを介して前記他の装置を制御し、前記表示部に所定のコンテンツを表示させる制御部とを有することを特徴とする情報処理装置を提供する。
【０００７】
上記した構成によれば、情報処理装置は、他の装置との固定状態を把握するとともに、ユーザーと対面している表示部に所定のコンテンツ、例えば、ユーザーが設定したコンテンツを表示するため、コンテンツ内容と表示形態とを連動させることができる。
【０００８】
（２）また、本発明は上記目的を達成するため、コンテンツを表示する表示部と、他の装置と固定する接続部と、前記他の装置と通信する接続用インターフェースと、前記表示部の表示状態を教示する教示部と、本体が前記接続部を介して前記他の装置の表示部を覆うように固定されており、利用者側に前記表示部が対面していると判断した場合、前記接続用インターフェースを介して前記他の装置を制御し、前記表示部に所定のコンテンツを表示させる制御部を有することを特徴とする情報処理装置を提供する。
【０００９】
上記した構成によれば、（１）と同様の効果を達成できるとともに、教示部を用いてユーザーに表示部の表示状態を知らせることができるため、コンテンツ内容に合わせて表示形態を変更するように教示することができる。
【発明の効果】
【００１０】
本発明によれば、コンテンツ内容と表示形態を連動させることができる。
【発明を実施するための最良の形態】
【００１１】
以下に、本発明の情報処理装置の実施の形態を、図面を参照して詳細に説明する。
【００１２】
（情報処理装置の構成）
図１は、本発明の実施の形態に係る情報処理装置の外観を示す概略斜視図である。
【００１３】
情報処理装置１は、板状に形成される本体内部にＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品及び充電池等の内部電源を収容しており、本体の両面に文字や画像等を表示する液晶表示パネル等からなる表示部２０と、表示部２０に重なるように設けられた透明なタッチセンサ２１と、カメラ及び重力センサ等からなるセンサ２２と、本体の４つの側面に設けられたＬＥＤ２３ａ〜２３ｄ（２つの側面は図示せず）と、本体の４つの角に設けられて他の情報処理装置と本体とを接触固定する接続部２４ａ〜２４ｄとを有する。
【００１４】
センサ２２は、例えば、重力センサ等であって、情報処理装置１の姿勢を検知する。また、ＣＣＤカメラ、赤外線センサ、又は超音波センサ等のセンサを合わせて有し、ユーザーの視線、又は存在を検知する。これら複数のセンサの検知結果により情報処理装置１のどの面が、さらにどの領域がユーザーに見られているのかを検知する。また、センサ２２は、情報処理装置１の両面に設けられる。
【００１５】
ＬＥＤ２３ａ〜２３ｄは、側面にそれぞれ２つずつ設けられており、表示部が表示されている面側のＬＥＤ２３ａ〜２３ｄを点灯させることでユーザーに対して表示部の表示状態を教示する。例えば、図１におけるＬＥＤ２３ａ及び２３ｃを点灯させることで表示部２０が表示状態にあることを示す。また、ＬＥＤ２３ｂ及び２３ｄを点灯させることで図示しない表示部２０の裏面に設けられた表示部が表示状態にあることを示す。
【００１６】
図２は、本発明の実施の形態に係る情報処理装置の構成を示すブロック図である。
【００１７】
情報処理装置１は、同一の構成を有する他の情報処理装置と通信する接続用インターフェース１０Ａと、情報処理装置１内の各部の動作を制御するとともに接続用インターフェース１０Ａを介して他の情報処理装置の制御部を制御する、又はされる制御部１０と、画像情報を処理して表示部２０に表示する画像処理部１１と、タッチセンサ２１に入力される操作内容を制御部に操作信号として出力する操作部１２と、センサ２２に入力される情報を解析して解析結果を制御部にセンサ信号として出力するセンサ制御部１３と、ＬＥＤ２３（ＬＥＤ２３ａ〜２３ｄ）の点灯又は消灯を制御するＬＥＤ制御部１４とを有する。
【００１８】
また、情報処理装置１は、情報を一時的に記憶して各部の処理を補助するメモリ１５と、情報を読み書き可能に格納するＨＤＤ等の記憶部１６と、アンテナ１７Ａを介して無線ＬＡＮ等の規格に基づいて無線通信する通信部１７と、音声情報を処理してスピーカー１８Ａ及びマイクロホン１８Ｂに対して音声の入出力を制御する音声処理部１８とを有し、各部はバス１９によってそれぞれ互いに接続されている。
【００１９】
なお、接続用インターフェース１０Ａは、Ｂｌｕｅｔｏｏｔｈ（登録商標）等の規格に基づいて無線で通信するものとする。また、有線で接続できるようにしてもよい。
【００２０】
図３（ａ）〜（ｃ）は、本発明の実施の形態に係る情報処理装置の接続形態を示す概略斜視図である。
【００２１】
情報処理装置１と同一の構成を有する情報処理装置１Ａ〜１Ｄは、お互いの接続部によって図３（ａ）〜（ｃ）に示すように接触固定される。例えば、情報処理装置１Ａ〜１Ｄは、図３（ａ）に示すように、互いに重なり合って一体となるよう接触固定される。また、情報処理装置１Ａ〜１Ｄは、図３（ａ）の状態から図３（ｂ）に示す状態に、本を見開くように接触固定状態を変化させることができる。また、情報処理装置１Ａ〜１Ｄは、図３（ｃ）に示すように、それぞれを同一面上に並べて１つの大きな表示部を構成するように接触固定される。
【００２２】
図４（ａ）〜（ｃ）は、本発明の実施の形態に係る情報処理装置の構成を示す概略斜視図である。
【００２３】
情報処理装置１の接続部２４（接続部２４ａ〜２４ｄ）は、図４（ａ）に示すように、それぞれ情報処理装置１の四隅に設けられ、例えば、球状の空洞部２４０と、空洞部２４０内に設けられる球状の磁石２４１とを有する。
【００２４】
情報処理装置１Ａと１Ｂは、図４（ｂ）に示すように、それぞれの側面で接触固定される場合、接続部２４Ａ及び２４Ｂの磁石２４１Ａ及び２４１Ｂが磁力により引き合うことでその状態を維持する。磁石２４１Ａ及び２４１Ｂは、空洞部２４０Ａ及び２４０Ｂ内でそれぞれが最も接近するよう位置する。
【００２５】
また、情報処理装置１Ａと１Ｂは、図４（ｃ）に示すように、それぞれの表示面で接触固定される場合、接続部２４Ａ及び２４Ｂの磁石２４１Ａ及び２４１Ｂが磁力により引き合うことでその状態を維持する。
【００２６】
（動  作）
以下に、本発明の実施の形態における情報処理装置の動作を各図を参照しつつ説明する。
【００２７】
図５（ａ）及び（ｂ）は、本発明の実施の形態に係る情報処理装置の動作を示す概略図である。
【００２８】
情報処理装置１Ａ〜１Ｄは、互いに接続用インターフェース１０Ａを介して通信し合うことで、それぞれの相対位置、例えば、図５（ａ）に示すように、互いに重なりあって一体となり接触固定されている状態を把握する。
【００２９】
次に、外側に位置する情報処理装置、例えば、図５（ａ）においては情報処理装置１Ａ及び１Ｄは、それぞれセンサ２２Ａ及び２２Ｄを用いて本体の姿勢やユーザーの視線を検知することでユーザーがどの情報処理装置を見ているか、また、操作しようとしているかを解析する。
【００３０】
まず、情報処理装置１Ａ及び１Ｄは、センサ２２Ａ及び２２Ｄ、例えば、重力センサを動作させて姿勢を検知する。例えば、情報処理装置１Ａ及び１Ｄが水平に近い状態にあると重力センサが判断した場合、重力方向に関して上側に位置する情報処理装置１Ａがユーザーに見られている可能性が高いため、センサ２２Ａは、例えば、さらにＣＣＤカメラを用いて取得した画像からユーザーの顔を認識して、ユーザーに見られている表示部を特定する。
【００３１】
また、例えば、ユーザーが寝ころんで情報処理装置を逆さまにして保持している場合は、情報処理装置１Ａのセンサ２２Ａはユーザーを検知せず、重力方向に関して下側に位置する情報処理装置１Ｄのセンサ２２Ｄがユーザーに見られていると検知する。また、センサ２２Ａとして、ＣＣＤカメラに代えて、赤外線センサを用いて、ユーザーから発せられる赤外線を検知しても同様にユーザーを検知できる。また、超音波センサを用いる場合は、ユーザーとの距離を検知する。
【００３２】
なお、ユーザーが情報処理装置１Ａ〜１Ｄを手に持って保持している状態においては、タッチセンサ２１とユーザーの手との接触点を分析して、ユーザーに見られている表示部を特定してもよい。もしくは、ユーザーが最初に触れた表示部をユーザーに見られている表示部と特定してもよい。
【００３３】
また、情報処理装置１Ａ〜１Ｄがユーザーに触れておらず、机上等に据え置かれている場合は、照度センサ等を用いて明るい方向を検知し、ユーザーに見られている表示部を特定する。
【００３４】
以上のセンサ２２の動作により、情報処理装置１Ａの表示部２０Ａがユーザーに見られていると判断した場合、図５（ｂ）に示すように、情報処理装置１Ａがマスターとなり、他の情報処理装置１Ｂ〜１Ｄをスレーブとして、それらの動作を制御する。また、情報処理装置１Ａは、表示部２０Ａにユーザーが予め設定したメイン画面２００と、タッチセンサ２１Ａを用いて操作する指標となる操作画面２０１とを表示するとともに、表示部２０Ａの表示状態をユーザーに教示するためにメイン画面教示ＬＥＤ２３０を点灯させる。
【００３５】
図６は、本発明の実施の形態に係る情報処理装置の動作を示すフローチャートである。なお、以下において、複数の情報処理装置１Ａ〜１Ｄは同様に動作するため、代表して情報処理装置１Ａの動作を説明する。
【００３６】
まず、情報処理装置１Ａは、他の情報処理装置１Ｂ〜１Ｄと互いに接続用インターフェース１０Ａを介して相互通信し（Ｓ１０）、それぞれの重なり位置を取得する（Ｓ１１）。
【００３７】
次に、情報処理装置１Ａが外側に位置していると判断した場合（Ｓ１２；Ｙｅｓ）、センサ２２Ａを動作させ、本体の姿勢やユーザーの視線を解析する（Ｓ１３）。解析の結果、本体がユーザーに対して表面であると判断した場合（Ｓ１４；Ｙｅｓ）、本体をマスターに設定する（Ｓ１５）。
【００３８】
マスターとなった情報処理装置１Ａは、表示部２０Ａにメイン画面２００を表示する（Ｓ１６）とともに、操作画面２０１を表示して操作面に設定する（Ｓ１７）。なお、情報処理装置１Ｂ〜１Ｄのタッチセンサの操作は、無効にする。
【００３９】
ステップＳ１２において、情報処理装置１Ａが外側に位置していない場合（Ｓ１２；Ｎｏ）、また、外側に位置していたとしても、ステップＳ１４において、本体がユーザーに対して表面でない場合（Ｓ１４；Ｎｏ）、本体をスレーブとして設定し（Ｓ１８）、マスターである情報処理装置の命令に従って動作する。
【００４０】
図７（ａ）及び（ｂ）は、本発明の実施の形態に係る情報処理装置の動作を示す概略図である。
【００４１】
情報処理装置１Ａ〜１Ｄが、互いに重なりあって一体となるよう接触固定されている状態で、図７（ａ）に示すように、情報処理装置１Ａは、表示部２０Ａに写真や映像等のコンテンツ画面２０２を表示することができる。情報処理装置１は、表示部２０Ａの解像度より写真や映像の解像度が高い場合、より大きい表示画面でコンテンツを表示するための表示切替ボタン２０２ａを表示する。
【００４２】
表示切替ボタン２０２ａに対応するタッチセンサ２１Ａの領域に指等で触れられることで、マスターである情報処理装置１Ａは、コンテンツの情報を、例えば、スレーブである情報処理装置１Ｂ及び１Ｃに送信する。情報処理装置１Ｂ及び１Ｃは、受信したコンテンツの情報の画像処理を終えると、情報処理装置１Ｂと１Ｃとの間を開くように、教示ＬＥＤ２３０ａ及び２３０ｂをそれぞれ点灯させる。
【００４３】
ユーザーによって情報処理装置１Ｂと１Ｃとの間が開かれ、図７（ｂ）に示す状態になると、情報処理装置１Ｂ及び１Ｃは、それぞれ表示部２０Ｂ及び２０Ｃにコンテンツの画像を表示する。表示部２０Ｂ及び２０Ｃは、２つで１つの適正コンテンツ画面２０３として動作し、適正コンテンツ画面２０３に対してコンテンツが適正な解像度で表示される。なお、さらに大きな解像度を有するコンテンツを表示する場合は、情報処理装置１Ａ〜１Ｄのすべての表示部を用いて適正コンテンツ画面２０３を構成して表示する。
【００４４】
図８は、本発明の実施の形態に係る情報処理装置の動作を示すフローチャートである。
【００４５】
まず、情報処理装置１Ａは、ユーザーからコンテンツの表示を指定されると、表示部２０Ａにコンテンツ画面２０２を表示する（Ｓ２０）。次に、情報処理装置１は、そのコンテンツの解像度が表示部２０の表示可能な最大解像度より大きいか判断し、コンテンツの解像度が表示部２０の解像度より大きい場合（Ｓ２１；Ｙｅｓ）、表示部２０Ａに表示切替ボタン２０２ａを表示する（Ｓ２２）。
【００４６】
次に、表示切替ボタン２０２ａに対応するタッチセンサ２１Ａが操作されると（Ｓ２３；Ｙｅｓ）、情報処理装置１Ａは、他の複数の情報処理装置に表示を切り替えるためコンテンツのデータを送信し、他の複数の情報処理装置、例えば情報処理装置１Ｂ及び１Ｃにおいて表示する準備が整うと、表示部に対応した教示ＬＥＤである教示ＬＥＤ２３０ａ及び２３０ｂを点灯させる（Ｓ２４）。
【００４７】
次に、ユーザーによって指定画面が開かれると（Ｓ２５；Ｙｅｓ）、指定画面である表示部２０Ｂ及び２０Ｃを適正コンテンツ画面２０３とし、コンテンツを表示する（Ｓ２６）。
【００４８】
図９（ａ）及び（ｂ）は、本発明の実施の形態に係る情報処理装置の動作を示す概略図である。
【００４９】
情報処理装置１Ａ〜１Ｄが、互いに重なりあって一体となるよう接触固定されている状態で、図９（ａ）に示すように、情報処理装置１Ａは、表示部２０Ａに起動するアプリケーションを選択するアプリケーション選択画面２０４を表示することができる。
【００５０】
所望のアプリケーションに対応するタッチセンサ２１Ａの領域に指等で触れられることで、マスターである情報処理装置１Ａは、そのアプリケーションを起動するが、アプリケーションに対して複数の画面を表示するように設定されている場合、アプリケーションの情報を、例えば、スレーブである情報処理装置１Ｂ及び１Ｃに送信する。情報処理装置１Ｂ及び１Ｃは、受信したアプリケーションの情報の画像処理を終えると、情報処理装置１Ｂと１Ｃとの間を開くように、教示ＬＥＤ２３０ｃ及び２３０ｄをそれぞれ点灯させる。
【００５１】
ユーザーによって情報処理装置１Ｂと１Ｃとの間が開かれ、図９（ｂ）に示す状態になると、情報処理装置１Ｂ及び１Ｃは、それぞれ表示部２０Ｂ及び２０Ｃにそれぞれアプリケーション画面２０５及びキーボード画面２０６の画像を表示する。なお、さらに表示部を必要とするアプリケーションを起動する場合は、情報処理装置１Ａ又は／及び１Ｄの表示部を用いて表示する。
【００５２】
図１０は、本発明の実施の形態に係る情報処理装置の動作を示すフローチャートである。
【００５３】
まず、情報処理装置１Ａは、ユーザーからアプリケーション選択画面２０４においてアプリケーションの起動を指示されると（Ｓ３０）、制御部が記憶部に格納されたアプリケーションを起動する。
【００５４】
次に、情報処理装置１Ａは、その起動するアプリケーションの内容を判断し、複数画面を使用するアプリケーションであると判断した場合（Ｓ３１；Ｙｅｓ）、情報処理装置１Ａは、他の複数の情報処理装置に表示を切り替えるためアプリケーションのデータを送信し、他の複数の情報処理装置、例えば情報処理装置１Ｂ及び１Ｃにおいて起動する準備が整うと、アプリケーションを表示する表示部に対応した教示ＬＥＤである教示ＬＥＤ２３０ｃ及び２３０ｄを点灯させる（Ｓ３２）。
【００５５】
次に、情報処理装置１Ａは、ユーザーによって指定画面が開かれて（Ｓ３３；Ｙｅｓ）、アプリケーションがキーボードを必要とするアプリケーションであると判断した場合（Ｓ３４；Ｙｅｓ）、情報処理装置１Ｃにキーボード画面２０６を表示し（Ｓ３５）、情報処理装置１Ｂにおいてアプリケーションを起動してアプリケーション画面２０５を表示する（Ｓ３６）。
【００５６】
また、キーボードを必要としないアプリケーションの場合（Ｓ３４；Ｎｏ）、複数の情報処理装置においてアプリケーションを起動してアプリケーション画面２０５を表示する（Ｓ３８）。なお、複数画面を使用しないアプリケーションの場合は、情報処理装置１Ａにおいてアプリケーションを起動する（Ｓ３７）。
【００５７】
（実施の形態の効果）
上記した実施の形態によると、情報処理装置は、他の情報処理装置との固定状態を把握するとともに、ユーザーと対面している表示部に所定のコンテンツ、例えば、ユーザーが設定したコンテンツを表示するため、表示形態にコンテンツ内容を連動させることができる。
【００５８】
また、情報処理装置は、１つの情報処理装置の表示部より大きな表示領域を必要とするコンテンツを処理する場合、他の情報処理装置を制御し、他の情報処理装置の表示部を組み合わせてコンテンツを表示するとともに、表示中の表示部を教示部を点灯させることで教示するため、コンテンツ内容に表示形態を連動させることができる。
【００５９】
なお、内蔵電池の残量が減少した場合、他の情報処理装置にマスターを譲ってスリープ状態に移行してもよい。また、外側に位置する情報処理装置が入れ替わった場合、外側に位置する情報処理装置にマスターを譲ってもよいし、マスターを譲らず外側に位置するスレーブの情報処理装置に表示制御してもよい。
【００６０】
また、ＬＥＤによってマスターである情報処理装置を教示してもよい。また、教示部は、ＬＥＤに限らず小型の表示部を用いてもよいし、音声や振動で表示状態を教示するものであってもよい。
【００６１】
なお、情報処理装置は、情報を処理する際、他の情報処理装置の制御部を動作させて分散処理を行っても良い。
【図面の簡単な説明】
【００６２】
【図１】本発明の実施の形態に係る情報処理装置の外観を示す概略斜視図である。
【図２】本発明の実施の形態に係る情報処理装置の構成を示すブロック図である。
【図３】（ａ）〜（ｃ）は、本発明の実施の形態に係る情報処理装置の接続形態を示す概略斜視図である。
【図４】（ａ）〜（ｃ）は、本発明の実施の形態に係る情報処理装置の構成を示す概略斜視図である。
【図５】（ａ）及び（ｂ）は、本発明の実施の形態に係る情報処理装置の動作を示す概略図である。
【図６】本発明の実施の形態に係る情報処理装置の動作を示すフローチャートである。
【図７】（ａ）及び（ｂ）は、本発明の実施の形態に係る情報処理装置の動作を示す概略図である。
【図８】本発明の実施の形態に係る情報処理装置の動作を示すフローチャートである。
【図９】（ａ）及び（ｂ）は、本発明の実施の形態に係る情報処理装置の動作を示す概略図である。
【図１０】本発明の実施の形態に係る情報処理装置の動作を示すフローチャートである。
【符号の説明】
【００６３】
１…情報処理装置、１Ａ-１Ｄ…情報処理装置、１０…制御部、１０Ａ…接続用インターフェース、１１…画像処理部、１２…操作部、１３…センサ制御部、１４…ＬＥＤ制御部、１５…メモリ、１６…記憶部、１７…通信部、１７Ａ…アンテナ、１８…音声処理部、１８Ａ…スピーカー、１８Ｂ…マイクロホン、１９…バス、２０…表示部、２０Ａ…表示部、２０Ｂ…表示部、２１…タッチセンサ、２１Ａ…タッチセンサ、２１Ｃ…タッチセンサ、２２…センサ、２２Ａ…センサ、２３…ＬＥＤ、２３ａ-２３ｄ…ＬＥＤ、２４…接続部、２４ａ-２４ｄ…接続部、２４Ａ…接続部、２００…メイン画面、２０１…操作画面、２０２…コンテンツ画面、２０２ａ…表示切替ボタン、２０３…適正コンテンツ画面、２０４…アプリケーション選択画面、２０５…アプリケーション画面、２０６…キーボード画面、２４０…空洞部、２４０Ａ〜２４０Ｂ…空洞部、２４１…磁石、２４１Ａ〜２４１Ｂ…磁石、２３０…メイン画面教示ＬＥＤ、２３０ａ-ｄ…教示ＬＥＤ
【図１】
2009180846.tif 000003
【図２】
2009180846.tif 000004
【図３】
2009180846.tif 000005
【図４】
2009180846.tif 000006
【図５】
2009180846.tif 000007
【図６】
2009180846.tif 000008
【図７】
2009180846.tif 000009
【図８】
2009180846.tif 000010
【図９】
2009180846.tif 000011
【図１０】
2009180846.tif 000012